(57)【要約】  【課題】  同一のコンテンツを繰り返し聴取または視聴した場合にも、ユーザが飽きることなく楽しむことができるようにする。  【解決手段】  変換情報発生回路１８が、光ディスク１からのデータ読み出しの度にまたは複数回のデータ読み出しに対して１回の割合で、異なる変換情報を発生し、データ変換部２０に供給する。データ変換部２０が、光ピックアップ５からＲＦアンプ６、ＥＦＭ復調回路７、ＣＩＲＣデコーダ８およびエラー補間回路９を介して供給されたデータを、変換情報発生回路１８から供給された変換情報に基づき変換し、出力端子１９に供給する。【選択図】  図１
2004355789.tif 000002
【特許請求の範囲】
【請求項１】
記録媒体からデータを読み出す再生手段と、
読み出したデータに対して、読み出しの度にまたは複数回の読み出しに対して１回の割合で、異なる変化を付与するデータ変更手段と
を備えることを特徴とするデータ再生装置。
【請求項２】
上記データ変更手段が、繰り返し読み出した同一データに対して、繰り返しの度にまたは複数回の繰り返しに対して１回の割合で、異なる変化を付与することを特徴とする請求項１記載のデータ再生装置。
【請求項３】
上記データ変更手段が、
読み出しの度にまたは複数回の読み出しに対して１回の割合で、異なる変換情報を発生する変換情報発生手段と、
上記再生手段により上記記録媒体から読み出されたデータを、上記変換情報発生手段から供給された変換情報に基づきデータ変換するデータ変換手段と
を備えることを特徴とする請求項１記載のデータ再生装置。
【請求項４】
上記記録媒体に記録されたデータがディジタルデータであり、
上記データ変換手段が、上記再生手段により上記記録媒体から読み出されたディジタルデータを、上記変換情報発生手段から供給された変換情報に基づきＤ／Ａ変換するＤ／Ａ変換手段を更に備え、
上記データ変換手段が、上記再生手段により上記記録媒体から読み出されたディジタルデータを、上記変換情報発生手段から供給された変換情報に基づきデータ変換し、上記Ｄ／Ａ変換手段に供給する第１のデータ変換手段、および上記Ｄ／Ａ変換手段から供給されたアナログデータを、上記変換情報発生手段から供給された変換情報に基づきデータ変換する第２のデータ変換手段の少なくとも一方をさらに備えることを特徴とする請求項３記載のデータ再生装置。
【請求項５】
データを記憶する記憶手段と、
再生特性の登録が指示された場合、データの変換に用いた変換情報を上記記憶手段に記憶し、登録された上記再生特性に基づく再生が指示された場合、上記記憶手段から上記変換情報を読み出し、上記データ変換手段に供給する制御手段と
をさらに備えることを特徴とする請求項３記載のデータ再生装置。
【請求項６】
データを記憶する記憶手段と、
再生データの登録が指示された場合、変換情報により変換されたデータを上記記憶手段に記憶し、登録された上記再生データの再生が指示された場合、上記記憶手段から上記データを読み出す制御手段と
をさらに備えることを特徴とする請求項３記載のデータ再生装置。
【請求項７】
上記変換情報発生手段が、読み出しの度にまたは複数回の読み出しに対して１回の割合で、乱数を発生する乱数発生手段であることを特徴とする請求項３記載のデータ再生装置。
【請求項８】
上記変換情報発生手段が、読み出しの度にまたは複数回の読み出しに対して１回の割合で、時間情報を発生する時間情報発生手段であることを特徴とする請求項３記載のデータ再生装置。
【請求項９】
上記変換情報発生手段が、読み出しの度にまたは複数回の読み出しに対して１回の割合で、押圧に応じた押圧情報を発生する押圧情報発生手段であることを特徴とする請求項３記載のデータ再生装置。
【請求項１０】
上記変換情報発生手段が、読み出しの度にまたは複数回の読み出しに対して１回の割合で、環境情報を発生する環境情報発生手段であることを特徴とする請求項３記載のデータ再生装置。
【請求項１１】
上記変換情報発生手段が、読み出しの度にまたは複数回の読み出しに対して１回の割合で、位置情報を発生する位置情報発生手段であることを特徴とする請求項３記載のデータ再生装置。
【請求項１２】
上記データはオーディオデータであり
上記データの変更手段が、読み出したデータに対して、読み出しの度にまたは複数回の読み出しに対して１回の割合で、異なる音響となる変化を付与することを特徴とする請求項１３記載のデータ再生装置。
【請求項１３】
上記変化が、所定帯域の強調／抑制、音量変化、量子化ビット数変化、サンプリング周波数変化、ビットレート変化、テンポ変化、高域付加、ゆらぎ付加、残響付加の中の少なくとも一つであることを特徴とする請求項１２記載のデータ再生装置。
【請求項１４】
上記データが、ビデオデータであり、
上記データ変更手段が、読み出したデータに対して、読み出しの度にまたは複数回の読み出しに対して１回の割合で、異なる画像となる変化を付
することを特徴とする請求項１記載のデータ再生装置。
【請求項１５】
上記変化が、色調変化、輝度変化、コントラスト変化、エッジ強調、所定帯域の強調／抑制、フレーム周波数変化、ビットレート変化、ゆらぎ付加の中の少なくとも一つであることを特徴とする請求項１４記載のデータ再生装置。
【請求項１６】
記録媒体からデータを読み出す再生ステップと、
読み出したデータに対して、読み出しの度にまたは複数回の読み出しに対して１回の割合で、異なる変化を付与するデータ変更ステップと
を備えることを特徴とするデータ再生方法。
【請求項１７】
記録媒体に対するデータの書き込み、および記録媒体からのデータの読み出しを行う記録再生手段と、
データ読み出しの度にまたは複数回のデータ読み出しに対して１回の割合で、異なる変換情報を発生する変換情報発生手段と、
上記記録再生手段により上記記録媒体から読み出されたデータを、上記変換情報発生手段から供給された変換情報、または上記記録媒体から読み出された変換情報に基づきデータ変換するデータ変換手段と
を備え、
再生特性の登録が指示された場合、上記記録再生手段が、変換情報を上記記録媒体に記録することを特徴とするデータ記録再生装置。
【請求項１８】
上記変換情報発生手段が、繰り返し同一データ読み出しの度にまたは複数回の繰り返し同一データ読み出しに対して１回の割合で、異なる変換情報を発生することを特徴とする請求項１７記載のデータ記録再生装置。
【請求項１９】
上記記録媒体に記録されたデータがディジタルデータであり、
上記記録再生手段により上記記録媒体から読み出されたディジタルデータを、上記変換情報発生手段から供給された変換情報、または上記記録媒体から読み出された変換情報に基づきＤ／Ａ変換するＤ／Ａ変換手段をさらに備え、
上記データ変換手段は、上記記録再生手段により上記記録媒体から読み出されたディジタルデータを、上記変換情報発生手段から供給された変換情報、または上記記録媒体から読み出された変換情報に基づきデータ変換し、上記Ｄ／Ａ変換手段に供給する第１のデータ変換手段、および上記Ｄ／Ａ変換手段から供給されたアナログデータを、上記変換情報発生手段から供給された変換情報、または上記記録媒体から読み出された変換情報に基づきデータ変換する第２のデータ変換手段の少なくとも一方をさらに備えることを特徴とする請求項１７記載のデータ記録再生装置。
【請求項２０】
データを記憶する記憶手段と、
再生特性の登録が指示された場合、データ変換に用いた変換情報を上記記憶手段に記憶し、登録された上記再生特性に基づく再生が指示された場合、上記記憶手段から上記変換情報を読み出し、上記データ変換手段に供給する制御手段と、
をさらに備えることを特徴とする請求項１７記載のデータ記録再生装置。
【請求項２１】
データを記憶する記憶手段と、
再生データの登録が指示された場合、変換情報により変換されたデータを上記記憶手段に記憶し、登録された上記再生データの再生が指示された場合、上記記憶手段から上記データを読み出す制御手段と
をさらに備えることを特徴とする請求項１７記載のデータ記録再生装置。
【請求項２２】
上記変換情報発生手段が、読み出しの度にまたは複数回の読み出しに対して１回の割合で、乱数を発生する乱数発生手段であることを特徴とする請求項１７記載のデータ記録再生装置。
【請求項２３】
上記変換情報発生手段が、読み出しの度にまたは複数回の読み出しに対して１回の割合で、時間情報を発生する時間情報発生手段であることを特徴とする請求項１７記載のデータ記録再生装置。
【請求項２４】
上記変換情報発生手段が、読み出しの度にまたは複数回の読み出しに対して１回の割合で、押圧に応じた押圧情報を発生する押圧情報発生手段であることを特徴とする請求項１７記載のデータ記録再生装置。
【請求項２５】
上記変換情報発生手段が、読み出しの度にまたは複数回の読み出しに対して１回の割合で、環境情報を発生する環境情報発生手段であることを特徴とする請求項１７記載のデータ記録再生装置。
【請求項２６】
上記変換情報発生手段が、読み出しの度にまたは複数回の読み出しに対して１回の割合で、位置情報を発生する位置情報発生手段であることを特徴とする請求項１７記載のデータ記録再生装置。
【請求項２７】
上記データは、オーディオデータであり、
上記データ変換が、読み出したデータに対して、読み出しの度にまたは複数回の読み出しに対して１回の割合で、異なる音響となる変化を付与するデータ変換であることを特徴とする請求項１７記載のデータ記録再生装置。
【請求項２８】
上記変化が、所定帯域の強調／抑制、音量変化、量子化ビット数変化、サンプリング周波数変化、ビットレート変化、テンポ変化、高域付加、ゆらぎ付加、残響付加の中の少なくとも一つであることを特徴とする請求項２７記載のデータ記録再生装置。
【請求項２９】
上記データは、ビデオデータであり、
上記データ変換が、読み出したデータに対して、読み出しの度にまたは複数回の読み出しに対して１回の割合で、異なる画像となる変化を付与することを特徴とする請求項１７記載のデータ記録再生装置。
【請求項３０】
上記変化が、色調変化、輝度変化、コントラスト変化、エッジ強調、所定帯域の強調／抑制、フレーム周波数変化、ビットレート変化、ゆらぎ付加の中の少なくとも一つであることを特徴とする請求項２９記載のデータ記録再生装置。
【請求項３１】
記録媒体からのデータ読み出しの度にまたは複数回のデータ読み出しに対して１回の割合で、異なる変換情報を発生する変換情報発生ステップと、
上記記録媒体から読み出されたデータを、上記変換情報発生ステップにより発生された変換情報に基づきデータ変換するデータ変換ステップと、
再生特性の登録が指示された場合、変換情報を上記記録媒体に記録する変換情報記録ステップと、
登録された上記再生特性に基づく再生が指示された場合、上記記録媒体から読み出されたデータを、上記記録媒体から読み出された上記変換情報に基づきデータ変換するデータ変換ステップと
を備えることを特徴とするデータ記録再生方法。
【発明の詳細な説明】
【技術分野】
【０００１】
この発明は、記録媒体からデータを再生するデータ再生装置およびデータ再生方法、並びにデータ記録再生装置およびデータ記録再生方法に関する。
【背景技術】
【０００２】
近年では、アナログデータを記録したメディアに代えて、ディジタルデータを記録したメディアが広く普及している。これは、ディジタルデータを記録したメディアが、音楽データ、画像／映像データを常に同品質で再生できる、という利点を有するためのである。
【０００３】
また、メディアを再生する再生装置では、輝度、色調および音域などを設定することにより、ユーザが所望する状態に画質や音響を設定することができるようになっている。さらに、近年では、画質や音響などの設定内容を変更する方法として、生体情報により設定内容を変更する再生装置も提案されている（例えば、下記特許文献１参照）。
【０００４】
【特許文献１】特開平１０−２１１１７７号公報
【発明の開示】
【発明が解決しようとする課題】
【０００５】
ところが、ＣＤ(Compact Disc)、ＤＶＤ(Digital Versatile Disc)、ＤＶ(Digital Video) など、ディジタルデータを記録したメディアでは、常に同一品質でコンテンツが再生されるため、何度も繰り返して同一コンテンツを聴取または視聴した場合、ユーザが飽きてしまう、という問題があった。
【０００６】
したがって、この発明の目的は、同一のコンテンツを繰り返し聴取または視聴した場合にも、ユーザが飽きることなく楽しむことができるデータ再生装置およびデータ再生方法、並びにデータ記録再生装置およびデータ記録再生方法を提供することにある。
【課題を解決するための手段】
【０００７】
上述した課題を解決するために、この発明の第１の態様は、記録媒体からデータを読み出す再生手段と、読み出したデータに対して、読み出しの度にまたは複数回の読み出しに対して１回の割合で、異なる変化を付与するデータ変更手段とを備えることを特徴とするデータ再生装置である。
【０００８】
この発明の第２の態様は、記録媒体からデータを読み出す再生ステップと、読み出したデータに対して、読み出しの度にまたは複数回の読み出しに対して１回の割合で、異なる変化を付与するデータ変更ステップとを備えることを特徴とするデータ再生方法である。
【０００９】
この発明の第３の態様は、記録媒体に対するデータの書き込み、および記録媒体からのデータの読み出しを行う記録再生手段と、データ読み出しの度にまたは複数回のデータ読み出しに対して１回の割合で、異なる変換情報を発生する変換情報発生手段と、記録再生手段により記録媒体から読み出されたデータを、変換情報発生手段から供給された変換情報、または記録媒体から読み出された変換情報に基づきデータ変換するデータ変換手段とを備え、再生特性の登録が指示された場合、記録再生手段が、変換情報を記録媒体に記録することを特徴とするデータ記録再生装置である。
【００１０】
この発明の第４の態様は、記録媒体からのデータ読み出しの度にまたは複数回のデータ読み出しに対して１回の割合で、異なる変換情報を発生する変換情報発生ステップと、
記録媒体から読み出されたデータを、変換情報発生ステップにより発生された変換情報に基づきデータ変換するデータ変換ステップと、再生特性の登録が指示された場合、変換情報を記録媒体に記録する変換情報記録ステップと、登録された再生特性に基づく再生が指示された場合、記録媒体から読み出されたデータを、記録媒体から読み出された変換情報に基づきデータ変換するデータ変換ステップとを備えることを特徴とするデータ記録再生方法である。
【発明の効果】
【００１１】
この発明によれば、記録媒体から読み出したデータに対して、読み出しの度にまたは複数回の読み出しに対して１回の割合で、異なる変化を付与するため、読み出しの度にまたは複数回の読み出しに対して１回の割合で、異なるデータを出力することができる。これにより、同一のデータを繰り返して再生した場合にも、ユーザは飽きることなく楽しむことができる。
【発明を実施するための最良の形態】
【００１２】
以下、この発明の実施形態について図面を参照しながら説明する。図１に、この発明の第１の実施形態によるデータ再生装置の構成の一例を示す。図１に示すように、このデータ再生装置は、ＣＰＵ(Central Processing Unit) （制御手段）２、サーボ部３、スピンドルモータ４、光ピックアップ（再生手段）５、ＲＦアンプ６、ＥＦＭ（eight to fourteen modulation）復調回路７、ＣＩＲＣ(Cross Interleaved Reed-Solomon Code) デコーダ８、エラー補間回路９、サブコードデコーダ１３、表示装置１４、操作装置１５、データ変更部（データ変更手段）２２および出力端子１９を備える。ここで、１は、ＣＤなどの光ディスク（記録媒体）である。また、出力端子１９は、例えばアンプに対して接続されている。
【００１３】
図１に示すように、データ変更部２２は、データ変換部（データ変換手段）２０、スイッチ１６、スイッチ２１、スイッチ１７および変換情報発生回路（変換情報発生手段）１８を備える。さらに、データ変換部２０は、第１のデータ変換回路（第１のデータ変換手段）１０、ディジタル−アナログ変換部（以下、Ｄ／Ａ変換部）（Ｄ／Ａ変換手段）１１および第２のデータ変換回路（第２のデータ変換手段）１２を備える。
【００１４】
光ディスク１は、ターンテーブルに載せられてスピンドルモータ４によって回転される。スピンドルモータ４は、サーボ部３の制御によって一定線速度（ＣＬＶ）で回転駆動される。サーボ部３は、フォーカス信号、トラッキング信号およびＣＰＵ２からの動作指令に基づき、フォーカス、トラッキング、スレッド、スピンドルの各種サーボドライブ信号を発生し、スピンドルモータ４および光ピックアップ５にこれらの信号を出力する。ＣＰＵ２は、データ再生装置の全体を制御するためのもので、表示装置１４、操作装置１５、サブコードデコーダ１３およびサーボ部３に対して接続されている。光ピックアップ５は、光ディスク１の信号面に半導体レーザの光ビームを集光しつつ、光ディスク１上に同心円上またはスパイラル状に形成されたトラックをトレースする。光ピックアップ５がスレッド機構により移動される。光ピックアップ５から出力されたディジタルオーディオデータは、ＲＦアンプ６を介してＥＦＭ復調回路７に供給される。
【００１５】
ＥＦＭ復調回路７は、光ピックアップ５からＲＦアンプ６を介して供給されたディジタルオーディオデータに対して、ＥＦＭ復調を行い、ＣＩＲＣデコーダ８に供給する。ＣＩＲＣデコーダ８は、ＥＦＭ復調回路７から供給されたディジタルオーディオデータを、ＣＩＲＣにより誤り訂正し、エラー補間回路９に供給する。エラー補間回路９は、ＣＩＲＣデコーダ８から供給されたディジタルオーディオデータを補間し、データ変更部２２に供給する。
【００１６】
データ変更部２２は、エラー補間回路９から供給されるディジタルオーディオデータに対して、読み出しの度にまたは複数回の読み出しに対して１回の割合で、異なる音響となる変化を付与し、出力端子１９に供給する。この変化は、例えば、所定帯域の強調／抑制、量子化ビット変化、サンプリング周波数変化、ビットレート変化、テンポ変化、高域付加、ゆらぎ付加、残響付加の中の少なくとも一つである。
【００１７】
サブコードデコーダ１３は、ＣＰＵ２の制御により、ＥＦＭ復調回路７から供給されるサブコードをデコードし、表示装置１４およびサーボ部３に供給する。表示装置１４は、例えば液晶ディスプレイまたは蛍光表示管（ＦＬ；fluorescent lamp）などで構成され、ＣＰＵ２の制御により、サブコードデコーダ１３から供給されるデータに基づき、情報を表示する。操作装置１５は、ボタンなどを備え、このボタンなどの操作に応じて、データ再生装置に備えられた各部が制御される。
【００１８】
次に、データ変更部２２に備えられた各部の動作について説明する。変換情報発生回路１８は、ＣＰＵ２の制御により、光ディスク１からのディジタルオーディオデータの読み出しの度にまたは複数回の読み出しに対して１回の割合で、異なる変換情報を発生し、スイッチ１６、２１および１７を介して、データ変換部２０に供給する。
【００１９】
変換情報発生回路１８は、例えば、乱数を発生する乱数発生器（乱数発生手段）、時間情報を発生するタイマ（時間情報発生手段）、キーおよび／またはボタンを備え、このキーおよび／またはボタンの押圧に応じて押圧情報を発生する押圧センサ（押圧発生手段）、環境に応じた環境情報を発生する環境情報発生器（環境情報発生手段）、または、データ再生装置の位置に応じて位置情報を発生するＧＳＰ(Global Positioning System) 受信機（位置情報発生手段）である。ここで、タイマは、例えば、年、月、日、曜日、時間の中の少なくとも一つの情報を発生可能に構成されている。また、環境情報発生器は、温度、湿度、気圧、明るさ、風量、風向きの中の少なくとも一つを測定可能に構成されたセンサである。
【００２０】
データ変換部２０は、エラー補間回路９から供給されたデータをスイッチ１６、２１および１７を介して変換情報発生回路１８から供給された変換情報に基づきデータ変換し、出力端子１９に供給する。
【００２１】
次に、データ変換部２０に備えられた各部の動作につてい説明する。第１のデータ変換回路１０は、エラー補間回路９から供給されたディジタルオーディオデータを、変換情報発生回路１８からスイッチ１６を介して供給される変換情報に基づきデータ変換し、Ｄ／Ａ変換部１１に供給する。すなわち、第１のデータ変換回路１０は、エラー補間回路９から供給されたディジタルオーディオデータに対して、読み出しの度にまたは複数回の読み出しに対して１回の割合で、異なる音響となる変化を付与し、Ｄ／Ａ変換部１１に供給する。この変化は、例えば、所定帯域の強調／抑制、テンポ変化、高域付加、ゆらぎ付加、残響付加の中の少なくとも一つである。
【００２２】
図２は、再生される楽曲のテンポを変化させる第１のデータ変換回路１０の構成の一例を示す。図２に示すように、このデータ変換回路１０は、パターン選択回路３１、テンポ変換回路３２およびバッファ３３を備える。ここでは、変換情報発生回路１８が、乱数発生器(RNG;Random Number Generator) である場合を一例として示す。
【００２３】
パターン選択回路３１は、乱数発生器である変換情報発生回路１８から供給された乱数をｎ分類し、分類結果に応じた制御信号をテンポ変換回路３２に供給する。例えば、パターン選択回路３１は、乱数発生器１８から供給された乱数（１０進数）を下一桁によりｎ分類する。例えば、パターン選択回路３１は、乱数の下一桁が０・１、２・３、４・５、６・７、８・９のいずれのグループに属するかによって乱数を５分類し、この分類に応じた制御信号をテンポ変換回路３２に供給する。
【００２４】
テンポ変換回路３２は、パターン選択回路３１から供給された制御信号に基づき、エラー補間回路９から供給されたディジタルオーディオデータを変換し、Ｄ／Ａ変換部１１に供給する。例えば、パターン選択回路３１において乱数が５分類される場合には、テンポ変換回路３２は、パターン選択回路３１から供給された制御信号に基づき、楽曲のテンポが、速い、やや速い、同じ、やや遅い、および遅いのいずれかになるように、エラー補間回路９から供給されたディジタルオーディオデータを変換し、Ｄ／Ａ変換部１１に供給する。バッファ３３は、変換後のディジタルオーディオデータの時間軸伸縮を吸収する。
【００２５】
図３は、再生された楽曲の所定帯域の強調／抑制を変化させる第１のデータ変換回路１０の構成の一例を示す。この第１のデータ変換回路１０は、パターン変換回路４１、帯域強調／抑制回路４２およびディジタルフィルタ４３を備える。ここでは、変換情報発生回路１８が、乱数発生器である場合を一例として示す。
【００２６】
パターン変換回路４１は、乱数発生器である変換情報発生回路１８から供給されたｎビットのデータを、上位から下位に向かってｎ／４づつを順に、高域強調用データ、高域抑制用データ、低域強調データ、低域抑制データとして割り当て、この結果に応じた制御信号を帯域強調／抑制回路４２に供給する。例えば、乱数発生器１８から１６ビットの乱数が供給された場合には、上位から下位に向かって４ビットづつを順に、高域強調用データ、高域抑制用データ、低域強調用データ、低域抑制データとして割り当て、各データを、帯域強調／抑制回路４２に供給可能なデータに変換し、帯域強調／抑制回路４２に供給する。
【００２７】
帯域強調／抑制回路４２は、パターン変換回路４１から供給されたデータに基づき、ディジタルフィルタ４３を制御する。ディジタルフィルタ４３は、帯域強調／抑制回路４２の制御により、ディジタルオーディオデータの高域成分の強調および抑制と、低域成分の強調および抑制とを行う。例えば、帯域強調／抑制回路４２において、各強調／抑制用データとして４ビットづつが割り当てられた場合には、ディジタルフィルタにおいて、合計６５５３６パターンのフィルタ処理を行うことができる。
【００２８】
Ｄ／Ａ変換部１１は、スイッチ２１を介して変換情報発生回路１８から供給された変換情報に基づき、第１のデータ変換回路１０から供給されたディジタルオーディオデータをアナログデータに変換し、第２のデータ変換回路１２に供給する。例えば、Ｄ／Ａ変換部１１は、スイッチ２１を介して供給される変換情報に応じた量子化ビット数および／またはサンプリング周波数により、第１のデータ変換回路１０から供給されたディジタルオーディオデータをアナログデータに変換し、第２のデータ変換回路１２に供給する。
【００２９】
Ｄ／Ａ変換部１１は、例えば、パターン選択回路３１およびＤ／Ａ変換器を備える。このＤ／Ａ変換器は、パターン選択回路３１から供給された制御信号に応じた量子化ビット数および／またはサンプリング周波数により、第１のデータ変換回路１０から供給されたディジタルオーディオデータを、アナログオーディオデータに変換する。
【００３０】
第２のデータ変換回路１２は、スイッチ１７を介して変換情報発生回路１８から供給された変換情報に基づき、Ｄ／Ａ変換部１１から供給されたアナログオーディオデータを変換し、出力端子１９に供給する。この第２のデータ変換回路１２は、例えば、所定帯域の強調／抑制、テンポ変化、高域付加、ゆらぎ付加、残響付加の中の少なくとも一つを変化させるデータ変換を施す。スイッチ１６、２１および１７は、操作装置１５の制御により、オン／オフされる。
【００３１】
図４は、第１の実施形態において、テンポを変化させる処理をソフトウェアで実現する場合のフローチャートである。ステップＳＴ１にディジタルオーディオデータが光ディスク等から読み出される。ステップＳＴ２では、乱数が生成される。生成された乱数に基づいて所定のテンポパターンが選択される（ステップＳＴ３）。一例として上述したような５個のテンポパターンの中の何れかが選択される。
【００３２】
ステップＳＴ４では、テンポパターンに応じたテンポ制御信号が生成される。ステップＳＴ５において、テンポ制御信号に基づいてディジタルオーディオ信号のテンポが変換される。ステップＳＴ２からステップＳＴ５でなされる処理は、第１のデータ変換回路１０に相当する。
【００３３】
ステップＳＴ６では、再生特性の登録指示の有無が判断される。再生特性の登録指示があると判定されると、ステップＳＴ７において、メモリに変換情報を記憶する。メモリは、ディジタルオーディオデータが記録されている記録媒体、またはハードディスク、メモリカード等のディジタルオーディオデータが記録されている記録媒体と別の媒体である。
【００３４】
ステップＳＴ６において、再生特性の登録指示がないと判定されると、ステップＳＴ８において、テンポが変換されたディジタルオーディオデータの登録指示の有無が判定される。登録指示があると判定されると、ステップＳＴ９において、変換後のディジタルオーディオデータをメモリに記憶する。メモリは、変換情報の記録媒体と同様のものが使用できる。
【００３５】
ステップＳＴ８において、変換後のディジタルオーディオデータの登録指示がないと判定されると、ステップＳＴ１０において、ディジタルオーディオデータをアナログデータに変換する。ステップＳＴ１１において、アナログオーディオデータを乱数に基づいて変換する。ステップＳＴ１１は、第２のデータ変換回路１２に相当する。ステップＳＴ１２において、変換されたアナログデータが出力される。
【００３６】
この発明の第１の実施形態によれば、以下の効果を得ることができる。
変換情報発生回路１８が、光ディスク１からのデータの読み出しの度にまたは複数回の読み出しに対して１回の割合で、異なる変換情報を発生し、データ変換部２０に供給する。そして、データ変換部２０が、エラー補間回路９から供給されたデータを、変換情報発生回路１８から供給された変換情報により変換し、出力端子１９に供給する。これにより、同一の楽曲またはアルバムの音響を、再生毎に変化させることができる。したがって、同一の楽曲またはアルバムを繰り返して再生した場合にも、ユーザは飽きることなく楽しむことができる。
【００３７】
また、観客が訪れる度に異なる演奏が行われるライブコンサートのように、光ディスクを聴取する度に異なる演奏が再現されるため、ユーザは同一の楽曲を飽きることなく何度も聴取することができる。
【００３８】
次に、この発明の第２の実施形態によるデータ再生装置について説明する。上述の第１の実施形態では、オーディオデータを再生するデータ再生装置に対して、この発明を適用した例を説明したが、この第２の実施形態では、ビデオデータを再生するデータ再生装置に対して、この発明を適用した例について説明する。
【００３９】
図５に、この発明の第２の実施形態によるデータ再生装置の構成の一例を示す。図５に示すように、このデータ再生装置は、ＣＰＵ１０２、サーボ部１０３、スピンドルモータ１０４、光ピックアップ（再生手段）１０５、ＲＦアンプ１０６、ＥＦＭプラス復調回路１０７、ＲＳ−ＰＣデコーダ(Reed-Solomon Product Code) １０８、セクタ分解回路１０９、エラー補間回路１１０、データ変更部１２３、アドレスデコーダ１１４、表示装置１１５、操作装置１１６、および出力端子１２０を備える。１０１は、ＤＶＤなどの光ディスク（記録媒体）である。出力端子１２０は、例えばテレビなどの表示装置に対して接続されている。
【００４０】
図５に示すように、データ変更部１２３は、データ変換部（データ変換手段）１２１、スイッチ１１７、スイッチ１２２、スイッチ１１８および変換情報発生回路（変換情報発生手段）１１９を備える。さらに、データ変換部１２１は、第１のデータ変換回路（第１のデータ変換手段）１１１、ディジタル−アナログ変換部（以下、Ｄ／Ａ変換部）（Ｄ／Ａ変換手段）１１２および第２のデータ変換回路（第２のデータ変換手段）１１３を備える。
【００４１】
光ディスク１０１は、ターンテーブルに載せられてスピンドルモータ１０４によって回転される。スピンドルモータ１０４は、サーボ部１０３の制御によって一定線速度（ＣＬＶ）で回転駆動される。サーボ部１０３は、アドレスデコーダ１１４から供給されるデータおよびＣＰＵ１０２からの動作指令に基づき、フォーカス、トラッキング、スレッド、スピンドルの各種サーボドライブ信号を発生し、スピンドルモータ１０４および光ピックアップ１０５にこれらの信号を出力する。ＣＰＵ１０２は、再生装置の全体を制御するためのもので、表示装置１１５、操作装置１１６、アドレスデコーダ１１４およびサーボ部１０３に対して接続されている。光ピックアップ１０５は、光ディスク１０１の信号面に半導体レーザの光ビームを集光しつつ、光ディスク１０１上に同心円上またはスパイラル状に形成されたトラックをトレースする。光ピックアップ１０５がスレッド機構により移動される。光ピックアップ１０５から出力されたディジタルビデオデータは、ＲＦアンプ１０６を介してＥＦＭプラス復調回路１０７に供給される。
【００４２】
ＥＦＭプラス復調回路１０７は、ＲＦアンプ１０６から供給されたディジタルビデオデータに対して、ＥＦＭプラス復調を行い、ＲＳ−ＰＣデコーダ１０８に供給する。ＲＳ−ＰＣデコーダ１０８は、ＥＦＭプラス復調回路１０７から供給されたディジタルビデオデータに対して、ＲＳ−ＰＣにより誤り訂正し、セクタ分解回路１０９に供給する。
【００４３】
セクタ分解回路１０９は、ＲＳ−ＰＣデコーダ１０８から供給されるディジタルビデオデータをセクタ分解し、エラー補間回路１１０およびアドレスデコーダ１１４に供給する。エラー補間回路１１０は、セクタ分解回路１０９から供給されたディジタルビデオデータを補間し、データ変更部１２３に供給する。
【００４４】
データ変更部１２３は、エラー補間回路１１０から供給されたディジタルビデオデータに対して、読み出しの度にまたは複数回の読み出しに対して１回の割合で、異なる画像となる変化を付与し、出力端子１２０に供給する。この変化は、例えば、色調変化、輝度変化、コントラスト変化、エッジ強調、所定帯域の強調／抑制、フレーム周波数変化、ビットレート変化、ゆらぎ付加の中の少なくとも一つである。
【００４５】
アドレスデコーダ１１４は、ＣＰＵ１０２の制御により、セクタ分解回路１０９から供給されたデータをデコードし、表示装置１１５およびサーボ部１０３に供給する。表示装置１１５は、例えば液晶ディスプレイまたは蛍光表示管（ＦＬ；fluorescent lamp）などで構成され、ＣＰＵ１０２の制御により、アドレスデコーダ１１４から供給されたデータに基づき、情報を表示する。操作装置１１６は、ボタンなどを備え、このボタンなどの操作に応じて、データ記録再生装置に備えられた各部が制御される。
【００４６】
データ変更部１２３に備えられたデータ変換部１２１および変換情報発生回路１１９は、上述した第１の実施形態によるデータ再生装置に備えられたものと略同様であるので説明を省略する。
【００４７】
次に、データ変換部１２１に備えられた各部の動作について説明する。第１のデータ変換回路１１１は、エラー補間回路１１０から供給されたディジタルビデオデータを、変換情報発生回路１１９からスイッチ１１７を介して供給された変換情報に基づきデータ変換し、Ｄ／Ａ変換部１１２に供給する。すなわち、データ変換回路１１１は、エラー補間回路１１０から供給されたディジタルビデオデータに対して、読み出しの度にまたは複数回の読み出しに対して１回の割合で、異なる画像となる変化を付与し、Ｄ／Ａ変換部１１２に供給する。この変化は、例えば、色調変化、輝度変化、コントラスト変化、エッジ強調、所定帯域の強調／抑制、ビットレート変化、ゆらぎ付加の中の少なくとも一つである。
【００４８】
Ｄ／Ａ変換部１１２は、スイッチ１２２を介して変換情報発生回路１１９から供給される変換情報に基づき、第１のデータ変換回路１１１から供給されたディジタルビデオデータをアナログビデオデータに変換し、第２のデータ変換回路１１３に供給する。例えば、このＤ／Ａ変換部１１２は、スイッチ１２２を介して供給された変換情報に応じたフレーム周波数により、第１のデータ変換回路１１１から供給されたディジタルビデオデータをＤ／Ａ変換し、第２のデータ変換回路１１３に供給する。
【００４９】
第２のデータ変換回路１１３は、スイッチ１１８を介して変換情報発生回路１１９から供給された変換情報に基づき、Ｄ／Ａ変換部１１２から供給されたアナログビデオデータをデータ変換し、出力端子１２０に供給する。すなわち、データ変換回路１１１は、エラー補間回路１１０から供給されたディジタルビデオデータに対して、読み出しの度にまたは複数回の読み出しに対して１回の割合で、異なる画像となる変化を付与し、Ｄ／Ａ変換部１１２に供給する。この変化は、例えば、色調変化、輝度変化、コントラスト変化、エッジ強調、所定帯域の強調／抑制、ビットレート変化、ゆらぎ付加の中の少なくとも一つである。
【００５０】
図６に、画像の輝度および色調などに変化を付与する第２のデータ変換回路１１３の構成の一例を示す。図６に示すように、この第２のデータ変換回路１１３は、パターン選択回路１３１および調整回路１３２を備える。ここでは、変換情報発生回路１１９が、乱数発生器である場合を一例として示す。
【００５１】
パターン選択回路１３１は、乱数発生器である変換情報発生回路１１９から供給された乱数をｎ分類し、分類結果に応じた制御信号を調整回路１３２に供給する。
【００５２】
調整回路１３２は、パターン選択回路１３１から供給された制御信号に基づき、エラー補間回路１１０から供給されたディジタルビデオデータに対して、異なる画像となる輝度変化および色調変化などを付与し、出力端子１２０に供給する。
【００５３】
図７に、特殊コンテンツなどを表示する第２のデータ変換回路１１３の一例を示す。図７に示すように、第２のデータ変換回路１１３は、特殊パターン判定回路１４１、特別チケット発行回路１４２、特殊コンテンツ生成回路１４３、特殊変換回路１４４、スイッチ１４５、スイッチ１４６、スイッチ１４７および加算回路（図示省略）を備える。ここでは、変換情報発生回路１１９が、乱数発生器である場合を一例として示す。
【００５４】
特殊パターン判定回路１４１は、乱数発生器である変換情報発生回路１１９から供給される乱数が、予め設定された数値と同一であるか否かを判定する。同一であると判定した場合、特殊パターン判定回路１４１は、スイッチ１４５、１４６および１４７をオンするように制御する。一方、同一でないと判定した場合、特殊パターン判定回路１４１は、スイッチ１４５、１４６および１４７をオフするように制御する。
【００５５】
特別チケット発行回路１４２は、暗号文または暗号番号などの暗号情報を発生し、スイッチ１４５を介して、加算回路に供給する。この暗号情報は、例えば特別チケットと交換可能な情報である。
【００５６】
特殊コンテンツ生成回路１４３は、ユーザにとって全く未知のコンテンツを発生し、スイッチ１４６を介して加算回路に供給する。このコンテンツは、例えば花火などの画像を表示するためデータである。また、特殊パターン判定回路１４１において、乱数発生器１１９から供給された乱数と、予め設定された数値とが同一であると判別された場合、ユーザの画像が表示されるようにしてもよい。なお、この場合、ユーザの画像データを、メモリなどの記憶部に予め記憶しておくようにする。
【００５７】
特殊変換回路１４４は、Ｄ／Ａ変換部１１２から供給されるアナログビデオデータに対して、異なる画像となる変化を付与し、加算回路に供給する。
【００５８】
加算回路は、特別チケット発行回路１４２、特殊コンテンツ生成回路１４３および特殊変換回路１４４から供給される信号を適宜加算し、出力端子１２０に供給する。
【００５９】
図８は、第２の実施形態において、ビデオデータの色調を変化させると共に、特殊コンテンツなどを表示する処理をソフトウェアで実現する場合のフローチャートである。ステップＳＴ２１にディジタルビデオデータが光ディスク等から読み出される。ステップＳＴ２２では、乱数が生成される。生成された乱数に基づいて所定の色調パターンが選択される（ステップＳＴ２３）。
【００６０】
ステップＳＴ２４では、色調パターンに応じた色調制御信号が生成される。ステップＳＴ２５において、色調制御信号に基づいてディジタルビデオデータの色調が変換される。ステップＳＴ２２からステップＳＴ２５でなされる処理は、第１のデータ変換回路１１１に相当する。
【００６１】
ステップＳＴ２６において、ディジタルビデオデータをアナログデータに変換する。ステップＳＴ２７において、乱数発生ステップＳＴ２２で発生した乱数が予め設定された数値と同一か否かが判定される。同一でなければ、アナログデータが出力される（ステップＳＴ２８）。
【００６２】
ステップＳＴ２７において、同一と判定されると、ステップＳＴ２８において、新たに生成された画像データが追加されるようにアナログデータが変換される。上述したように、新たに生成された画像は、チケット交換可能な暗号情報、ユーザにとって未知の画像、またはユーザにとって既知の画像である。ステップＳＴ２７〜ステップＳＴ３０の処理は、第２のデータ変換回路１１３に相当する処理である。
【００６３】
この発明の第２の実施形態によれば、以下の効果を得ることができる。
変換情報発生回路１１９が、光ディスク１０１からのビデオデータの読み出しの度にまたは複数回の読み出しに対して１回の割合で、異なる変換情報を発生し、データ変換部１２１に供給する。そして、データ変換部１２１が、エラー補間回路１１０から供給されたデータを、変換情報発生回路１１９から供給された変換情報により変換し、出力端子１２０に供給する。これにより、同一の映画などのコンテンの画像／映像を、再生毎に変化させることができる。したがって、同一の映画などのコンテンを繰り返して再生した場合にも、ユーザは飽きることなく楽しむことができる。
【００６４】
次に、この発明の第３の実施形態について説明する。この第３の実施形態によるデータ記録再生装置は、ユーザが所望する音響変化などの再生特性を光ディスクおよび／またはデータ記録再生装置に登録できるようにしたものである。
【００６５】
図９に、この発明の第３の実施形態によるデータ記録再生装置の構成の一例を示す。なお、図９では、第１の実施形態によるデータ記録再生装置と対応する部分には、同一の符号を付す。
【００６６】
図９に示すように、このデータ記録再生装置は、ＣＰＵ(Central Processing Unit) （制御手段）２、サーボ部３、スピンドルモータ４、光ピックアップ（記録再生手段）５、ＲＦアンプ６、ＥＦＭ（eight to fourteen modulation）復調回路７、ＣＩＲＣ(Cross Interleaved Reed Solomon Code) デコーダ８、エラー補間回路９、サブコードデコーダ１３、表示装置１４、操作装置１５、データ変更部（データ変更手段）２２、出力端子１９、スイッチ２０２、変換情報蓄積部２０３、メモリ２０４、ＣＩＲＣエンコーダ２０５、ＥＦＭ変調回路２０６および記録回路２０７を備える。ここで、２０１は、追記可能または書換可能な光ディスクであり、例えば、ＣＤ−Ｒ(Compact Disc-Recordable) 、ＣＤ−ＲＷ(Compact Disc-ReWritable) である。また、出力端子１９は、例えばアンプに対して接続されている。また、ＣＩＲＣエンコーダ２０５およびＥＦＭ変調回路２０６に代えて、メモリ２０４から読み出された変換情報を処理して記録回路２０７に供給するデータ加工部を備えるようにしてもよい。
【００６７】
データ変更部２２は、データ変換部（データ変換手段）２０、スイッチ１６、スイッチ２１、スイッチ１７および変換情報発生回路（変換情報発生手段）１８を備える。さらに、データ変換部２０は、第１のデータ変換回路（第１のデータ変換手段）１０、Ｄ／Ａ変換部（Ｄ／Ａ変換手段）１１および第２のデータ変換回路（第２のデータ変換手段）１２を備える。ここでは、便宜上、図示を省略するが、第１のデータ変換回路１０、Ｄ／Ａ変換部１１および第２のデータ変換回路１２は、それぞれ、ＣＰＵ２に対して接続されている。
【００６８】
スイッチ２０２は、操作装置１５の制御により、オン／オフされる。変換情報蓄積部２０３は、スイッチ２０２を介して変換情報発生回路１８から供給された変換情報を蓄積する。そして、ＣＰＵ２の制御により、蓄積された変換情報をメモリ２０４および／またはＣＩＲＣエンコーダ２０５に供給する。メモリ２０４は、変換情報蓄積部２０３から供給された変換情報を格納する。ＣＩＲＣエンコーダ２０５は、変換情報蓄積部２０３から供給された変換情報に対してＣＩＲＣ符号化を施し、ＥＦＭ変調回路２０６に供給する。ＥＦＭ変調回路２０６は、ＣＩＲＣエンコーダ２０５から供給された変換情報をＥＦＭ変調し、記録回路２０７に供給する。記録回路２０７には、ドライブ回路が設けられており、記録回路２０７の出力が光ピックアップ５内の半導体レーザに供給されることによって、記録データに応じて強度が変調されたレーザが光ピックアップ５から光ディスク２０１に対して照射される。
【００６９】
次に、この発明の第３の実施形態によるデータ記録再生装置の動作の一例について説明する。まず、所望の音響変化を光ディスク２０１に登録する動作の一例について説明する。まず、変換情報蓄積部２０３が、スイッチ２０２を介して変換情報発生回路１８から供給された変換情報を蓄積する。操作装置１５において音響変化を光ディスク２０１に対して登録する操作がなされると、ＣＰＵ２の制御により、変換情報蓄積部２０３から変換情報が読み出され、ＣＩＲＣエンコーダ２０５、ＥＦＭ変調回路２０６、記録回路２０７を介して光ピックアップ５に供給される。光ピックアップ５が、ＣＩＲＣエンコーダ２０５、ＥＦＭ変調回路２０６、記録回路２０７を介して変換情報蓄積部２０３から供給された変換情報を光ディスク２０１の変換情報記録領域に記録する。この変換情報が記録される変換情報記録領域としては、例えばリードイン領域、リードアウト領域、またはリードイン領域より更に内側に設けられた特殊領域を挙げることができる。
【００７０】
次に、光ディスク２０１に登録された音響変化によるデータ再生動作の一例について説明する。まず、光ディスク２０１が、例えばトレーによりデータ記録再生装置内に搬入されると、光ピックアップ５により、光ディスク２０１の変換情報記録領域から変換情報が読み出され、ＲＦアンプ６、ＥＦＭ復調回路７、ＣＩＲＣデコーダ８およびエラー補間回路９を介して、メモリ２０４に格納される。そして、操作装置１５において光ディスク２０１に登録された音響変化によりデータ再生を実行する操作がなされると、ＣＰＵ２によりメモリ２０４から変換情報が読み出され、データ変換部２０に供給される。データ変換部２０が、光ディスク２０１から読み出されたオーディオデータを、メモリ２０４から読み出された変換情報により変換し、出力端子１９に供給する。
【００７１】
次に、所望の音響変化をデータ記録再生装置に登録し、この登録された音響変化に基づきデータ再生する動作の一例について説明する。まず、変換情報蓄積部２０３が、スイッチ２０２を介して変換情報発生回路１８から供給された変換情報を蓄積する。操作装置１５においてデータ記録再生装置に音響変化を登録する操作がなされると、ＣＰＵ２の制御により、変換情報蓄積部２０３から変換情報が読み出され、メモリ２０４に格納される。
【００７２】
そして、操作装置１５においてデータ記録再生装置に登録された音響変化によりデータ再生する操作がなされると、ＣＰＵ２により、メモリ２０４から変換情報が読み出され、データ変換部２０に供給される。データ変換部２０が、光ディスク２０１から読み出されたオーディオデータを、メモリ２０４から読み出された変換情報により変換し、出力端子１９に供給する。
【００７３】
第３の実施形態における変換情報のメモリへの記憶、並びに変換後のディジタルオーディオデータの登録は、前述した図４に示すフローチャートの流れにしたがってソフトウェア処理で実現することが可能である。
【００７４】
第３の実施形態における登録された音響変化に基づきデータを再生するデータ再生処理は、図１０に示すフローチャートの流れにしたがってソフトウェア処理で実現することが可能である。ステップＳＴ４１において、ディスク等の記録媒体からディジタルオーディオデータおよび変換情報とが読み出される。読み出した変換情報がメモリに蓄積される（ステップＳＴ４２）。
【００７５】
ステップＳＴ４３では、読み出された変換情報に基づいてディジタルオーディオデータが変換される。ステップＳＴ４３では、再生したデータを再度再生するか否かが判定される。再度再生を行うと判定されると、読み出しの度に音響変化を変更するので、ステップＳＴ４５において新たな変換情報が生成される。ステップＳＴ４６において、生成された変換情報がメモリに蓄積される。
【００７６】
ステップＳＴ４７において、生成した変換情報に基づいてディジタルデータが再生される。そして、処理がステップＳＴ４４（再度再生を行うか否かの判定処理）に戻る。
【００７７】
ステップＳＴ４４において、再生したデータを再度再生しないと判定されると、ステップＳＴ４８において、再生特性の登録指示の有無が判定される。登録指示がないと判定されると、処理が終了する。登録指示があると、判定されると、ステップＳＴ４９において、メモリから所定の変換情報が選択的に読み出される。ステップＳＴ５０において、選択された変換情報が記録媒体のリードイン領域等に記録される。
【００７８】
この発明の第３の実施形態によれば、第１の実施形態により得られる効果以外に、以下の効果を得ることができる。
読み出しの度にまたは複数回の読み出しに対して１回の割合で変化する音響の中で、ユーザが所望する音響変化を光ディスク２０１および／またはメモリ２０４に記録することができる。これにより、ユーザは、所望の音響変化を再現して楽しむことができる。
【００７９】
次に、この発明の第４の実施形態について説明する。この第４の実施形態によるデータ記録再生装置は、ユーザが所望する画像変化などの再生特性を光ディスクおよび／またはデータ記録再生装置に登録できるようにしたものである。
【００８０】
図１１に、この発明の第４の実施形態によるデータ記録再生装置の構成の一例を示す。なお、図１１では、第２の実施形態によるデータ記録再生装置と対応する部分には、同一の符号を付す。
【００８１】
図１１に示すように、このデータ記録再生装置は、ＣＰＵ１０２、サーボ部１０３、スピンドルモータ１０４、光ピックアップ（記録再生手段）１０５、ＲＦアンプ１０６、ＥＦＭプラス復調回路１０７、ＲＳ−ＰＣデコーダ(Reed-Solomon Product Code) １０８、セクタ分解回路１０９、エラー補間回路１１０、データ変更部１２３、アドレスデコーダ１１４、表示装置１１５、操作装置１１６、出力端子１２０、スイッチ３０２、変換情報蓄積部３０３、メモリ３０４、ＲＳ−ＰＣエンコーダ３０５、ＥＦＭプラス変調回路３０６および記録回路３０７を備える。ここで、３０１は、追記可能または書換可能な光ディスクであり、例えば、ＤＶＤ−Ｒ(Digital Versatile Disc-Recordable) 、ＤＶＤ−ＲＷ(Digital Versatile Disc-ReWritable) 、ＤＶＤ−ＲＡＭ(Digital Video Disc-Random Access Memory) である。また、出力端子１２０は、例えばテレビなどの表示装置に対して接続されている。また、ＲＳ−ＰＣエンコーダ３０５およびＥＦＭプラス変調回路３０６に代えて、メモリ３０４から読み出された変換情報を処理して記録回路３０７に供給するデータ加工部を備えるようにしてもよい。
【００８２】
データ変更部１２３は、データ変換部（データ変換手段）１２１、スイッチ１１７、スイッチ１２２、スイッチ１１８および変換情報発生回路（変換情報発生手段）１１９を備える。さらに、データ変換部１２１は、第１のデータ変換回路（第１のデータ変換手段）１１１、Ｄ／Ａ変換部（Ｄ／Ａ変換手段）１１２および第２のデータ変換回路（第２のデータ変換手段）１１３を備える。ここでは、便宜上、図示を省略するが、第１のデータ変換回路１１１、Ｄ／Ａ変換部１１２および第２のデータ変換回路１１３は、それぞれ、ＣＰＵ１０２に対して接続されている。
【００８３】
スイッチ３０２は、操作装置１１６の制御により、オン／オフされる。変換情報蓄積部３０３は、スイッチ３０２を介して変換情報発生回路１１９から供給された変換情報を蓄積する。そして、ＣＰＵ１０２の制御により、蓄積された変換情報をメモリ３０４および／またはＲＳ−ＰＣエンコーダ３０５に供給する。メモリ３０４は、変換情報蓄積部３０３から供給された変換情報を格納する。ＲＳ−ＰＣエンコーダ３０５は、変換情報蓄積部３０３から供給された変換情報に対してＲＳ−ＰＣ符号化を施し、ＥＦＭプラス変調回路３０６に供給する。ＥＦＭプラス変調回路３０６は、ＣＩＲＣエンコーダ３０５から供給された変換情報をＥＦＭプラス変調し、記録回路３０７に供給する。記録回路３０７には、ドライブ回路が設けられており、記録回路３０７の出力が光ピックアップ１０５内の半導体レーザに供給されることによって、記録データに応じて強度が変調されたレーザが光ピックアップ１０５から光ディスク３０１に対して照射される。
【００８４】
次に、この発明の第４の実施形態によるデータ記録再生装置の動作の一例について説明する。まず、所望の画像変化を光ディスク３０１に登録する動作の一例について説明する。まず、変換情報蓄積部３０３が、変換情報発生回路１１９から供給された変換情報を蓄積する。操作装置１１６において画像変化を光ディスク３０１に対して登録する操作がなされると、ＣＰＵ１０２の制御により、変換情報蓄積部３０３から変換情報が読み出され、ＲＳ−ＰＣエンコーダ３０５、ＥＦＭプラス変調回路３０６、記録回路３０７を介して光ピックアップ１０５に供給される。光ピックアップ１０５が、ＲＳ−ＰＣエンコーダ３０５、ＥＦＭプラス変調回路３０６、記録回路３０７を介して変換情報蓄積部３０３から供給された変換情報を光ディスク３０１の変換情報記録領域に記録する。この変換情報が記録される変換情報記録領域としては、例えばリードイン領域、リードアウト領域、またはリードイン領域より更に内側に設けられた特殊領域を挙げることができる。
【００８５】
次に、光ディスク３０１に登録された画像変化によるデータ再生動作の一例について示す。まず、光ディスク３０１が、例えばトレーによりデータ記録再生装置内に搬入されると、光ピックアップ１０５により、光ディスク３０１の変換情報記録領域から変換情報が読み出され、ＲＦアンプ１０６、ＥＦＭプラス復調回路１０７、ＲＳ−ＰＣデコーダ１０８、セクタ分解回路１０９およびエラー補間回路１１０を介してメモリ３０４に格納される。そして、操作装置１１６において光ディスク３０１に登録された画像変化によりデータ再生を実行する操作がなされると、ＣＰＵ１０２によりメモリ３０４から変換情報が読み出され、データ変換部１２１に供給される。データ変換部１２１が、光ディスク３０１から読み出されたディジタルオーディオデータを、メモリ３０４から読み出された変換情報により変換し、出力端子１２０に供給する。
【００８６】
次に、所望の画像変化をデータ記録再生装置に登録し、この登録された画像変化に基づきデータ再生する動作の一例について説明する。まず、変換情報蓄積部３０３が、スイッチ３０２を介して変換情報発生回路１１９から供給された変換情報を蓄積する。操作装置１１６においてデータ記録再生装置に画像変化を登録する操作がなされると、ＣＰＵ１０２の制御により、変換情報蓄積部３０３から蓄積情報が読み出され、メモリ３０４に格納される。
【００８７】
そして、操作装置１１６においてデータ記録再生装置に登録された画像変化によりデータ再生する操作がなされると、ＣＰＵ１０２により、メモリ３０４から変換情報が読み出され、データ変換部１２１に供給される。データ変換部１２１が、光ディスク３０１から読み出されたディジタルビデオデータを、メモリ３０４から読み出された変換情報により変換し、出力端子１２０に供給する。
【００８８】
この発明の第４の実施形態によれば、第２の実施形態により得られる効果以外に、以下の効果を得ることができる。
読み出しの度にまたは複数回の読み出しに対して１回の割合で変化する画像の中で、ユーザが所望する画質変化を光ディスク３０１および／またはメモリ３０４に記録することができる。これにより、ユーザは、所望の画像変化を再現して楽しむことができる。
【００８９】
以上、この発明の第１から第４の実施形態について具体的に説明したが、この発明は、上述の第１から第４の実施形態に限定されるものではなく、この発明の技術的思想に基づく各種の変形が可能である。
【００９０】
例えば、上述した第１から第４の実施形態において挙げた数値はあくまでも例に過ぎず、必要に応じてこれと異なる数値を用いてもよい。
【００９１】
また、上述した第１および第３の実施形態において、データ変更部２２が、所定帯域の強調／抑制、音量、量子化ビット数、サンプリング周波数、ビットレート、テンポ、高域付加、ゆらぎ付加、残響付加の中の少なくとも一つの変化を付与するようにしてもよい。
【００９２】
また、上述した第１から第４の実施形態において、信号処理回路により光ディスクから読み出されたディジタル信号を信号処理する例について示したが、上述した信号処理回路は、プログラムにより置き換え可能であることは言うまでもない。
【００９３】
また、上述した第１の実施形態によるデータ再生装置において、ユーザが所望する音響変化を登録することができる構成としてもよい。具体的には、データ再生装置に、例えば不揮発性メモリまたは磁気ハードディスクから構成される記憶部（記憶手段）をさらに備える。そして、ユーザが音響変化の登録を所望する場合には、操作装置１５を適宜操作し、再生データのデータ変換に用いられた変換情報を、記憶部に対して記憶する。この際、ユーザが所望するタイトルを、上述の変換情報と対応させて記憶するようにしてもよい。また、ユーザが登録した変換情報によりデータ再生を行う場合には、操作装置１５を適宜操作し、記憶部から変換情報を読みだ出し、データ変換部２０に供給する。また、上述した第２の実施形態によるデータ再生装置において、ユーザが所望する画像変化を登録することができる構成としてもよいことは言うまでもない。
【００９４】
また、上述した第１から第４の実施形態において、変換情報発生回路が、乱数発生器、タイマ、押圧センサおよびＧＳＰ受信機の少なくとも２つを備え、それらの各部から出力される情報を統合処理し、データ変換部に供給するようにしてもよい。
【００９５】
図１２に、変換情報発生回路の構成の一例を示す。図１２に示すように、この変換情報発生回路は、乱数発生器１８Ａ、タイマ１８Ｂ、押圧センサ１８Ｃおよび統合処理部１８Ｄを備える。統合処理部１８Ｄは、乱数発生器１８Ａ、タイマ１８Ｂおよび押圧センサ１８Ｃから供給された乱数、時間情報、操作情報を統合し、データ変換部２０に出力する。
【００９６】
また、上述した第１から第４の実施形態において、ＣＤまたはＤＶＤを再生するデータ再生装置およびデータ記録装置に対して、この発明を適用した例について示したが、ＣＤ、ＤＶＤ、ＭＤ(Mini Disc) 、ＭＯ(Magneto Optical) 、Blu-Ray ディスクの中の少なくとも１つを再生可能であるデータ再生装置およびデータ記録再生装置に対しても、この発明を適用可能であることは言うまでもない。
【００９７】
また、ＨＤＤ(Hard Disk Drive) 、ビデオテープまたはカセットテープなどの磁気記録媒体を再生するデータ再生装置に対して、この発明を適用可能であることは言うまでもない。また、半導体メモリを再生するデータ再生装置に対して、この発明を適用可能であることは言うまでもない。
【００９８】
また、ＨＤＤ(Hard Disk Drive) 、ビデオテープまたはカセットテープなどの磁気記録媒体を記録および再生するデータ記録再生装置に対して、この発明を適用可能であることは言うまでもない。また、半導体メモリを記録および再生するデータ記録再生装置に対して、この発明を適用可能であることは言うまでもない。
【００９９】
また、上述した第１および第３の実施形態において、データ変換部２０が、エラー補間回路９から供給されたディジタルデータを、変換情報発生回路１８から供給された変換情報に基づきデータ変換する第１のデータ変換回路１０、およびＤ／Ａ変換部１１から供給されたアナログデータを、変換情報発生回路１８から供給された変換情報に基づきデータ変換し、出力端子１９に供給する第２のデータ変換回路１２の少なくとも一方を備えるようにしてもよい。また、上述した第２および第４の実施形態において、同様の構成とすることも可能であることは言うまでもない。
【０１００】
また、上述した第１から第４の実施形態においては、光ディスクから読み出されたディジタルデータを、変換情報によりデータ変換する例について示したが、ネットワークおよび／または通信を介して供給されるディジタルデータを、変換情報によりデータ変換するようにしてもよい。
【０１０１】
また、上述した第１および第３の実施形態において、データ変更部２２が、繰り返し読み出した同一データに対して、繰り返しの度にまたは複数回の繰り返しに対して１回の割合で、異なる変化を付与するようにしてもよい。例えば、操作装置１５において同一楽曲の再生が指示された場合に、変換情報発生回路１８が、前回の再生時とは異なる変換情報を発生し、スイッチ１６、２１および１７を介して、データ変換部２０に供給する。または、操作装置１５において同一楽曲の再生が複数回繰り返して指示された場合に、変換情報発生回路１８が、前回のデータ変換に用いた変換情報とは異なる変換情報を発生し、スイッチ１６、２１および１７を介して、データ変換部２０に供給する。なお、上述した第２および第４の実施形態においても、データ変更部１２３が、繰り返し読み出した同一データに対して、繰り返しの度にまたは複数回の繰り返しに対して１回の割合で、異なる変化を付与するようにしてもよいことは言うまでもない。
【図面の簡単な説明】
【０１０２】
【図１】この発明の第１の実施形態によるデータ再生装置の構成の一例を示すブロック図である。
【図２】この発明の第１の実施形態による第１のデータ変換回路の構成の一例を示すブロック図である。
【図３】この発明の第１の実施形態による第１のデータ変換回路の構成の他の例を示すブロック図である。
【図４】この発明の第１の実施形態における処理の流れを示すフローチャートである。
【図５】この発明の第２の実施形態によるデータ再生装置の構成の一例を示すブロック図である。
【図６】この発明の第２の実施形態による第２のデータ変換回路の構成の一例を示すブロック図である。
【図７】この発明の第２の実施形態による第２のデータ変換回路の構成の他の例を示すブロック図である。
【図８】この発明の第２の実施形態における処理の流れを示すフローチャートである。
【図９】この発明の第３の実施形態によるデータ記録再生装置の構成の一例を示すブロック図である。
【図１０】この発明の第３の実施形態における処理の流れを示すフローチャートである。
【図１１】この発明の第４の実施形態によるデータ記録再生装置の構成の一例を示すブロック図である。
【図１２】この発明の変形例による変換情報発生回路の構成の一例を示すブロック図である。
【符号の説明】
【０１０３】
１・・・光ディスク
２・・・ＣＰＵ
３・・・サーボ部
４・・・スピンドルモータ
５・・・光ピックアップ
６・・・ＲＦアンプ
７・・・ＥＦＭ復調回路
８・・・ＣＩＲＣデコーダ
９・・・エラー補間回路
１０・・・第１のデータ変換回路
１１・・・Ｄ／Ａ変換器
１２・・・第２のデータ変換回路
１３・・・サブコードデコーダ
１４・・・表示装置
１５・・・操作装置
１６，１７，２１・・・スイッチ
１８・・・変換情報発生回路
１９・・・出力端子
２０・・・データ変換部
２２・・・データ変更部
【図１】
2004355789.tif 000003
【図２】
2004355789.tif 000004
【図３】
2004355789.tif 000005
【図４】
2004355789.tif 000006
【図５】
2004355789.tif 000007
【図６】
2004355789.tif 000008
【図７】
2004355789.tif 000009
【図８】
2004355789.tif 000010
【図９】
2004355789.tif 000011
【図１０】
2004355789.tif 000012
【図１１】
2004355789.tif 000013
【図１２】
2004355789.tif 000014